(57)【特許請求の範囲】
【請求項１】
記録媒体のセット時に先端を揃える当接部と、
前記当接部に近接配置されており、前記当接部にて先端が揃えられた前記記録媒体を上昇及び下降させて供給するホッパーとを備えた記録装置において、
前記当接部と前記ホッパーとの間隙に前記記録媒体の先端が侵入することを防止する先端侵入防止部と、
前記ホッパーと当該ホッパーの上方に位置するハウジングとの間隙に前記記録媒体の後端が侵入することを防止する後端侵入防止部とを備え、
前記先端侵入防止部は、填め合わせ可能な凹凸形状に形成されており、前記凹形状と前記凸形状は、異なるサイズの前記記録媒体の幅方向の各端部に対応するように前記当接部と前記ホッパーに形成され、
前記後端侵入防止部は、前記ハウジングの背部にリブ形状に形成されており、異なるサイズの前記記録媒体の幅方向の各端部に対応して形成されていることを特徴とする記録装置。
【請求項２】
記録媒体のセット時に先端を揃える当接部と、
前記当接部に近接配置されており、前記当接部にて先端が揃えられた前記記録媒体を上昇及び下降させて供給するホッパーとを備えた記録装置において、
前記ホッパーの上部には傾斜部が形成されており、前記傾斜部は、前記ホッパーの上方に位置するハウジングの面が、前記傾斜部からみてオーバーハングするように形成され、
前記ハウジングの背部には、当該ハウジングと前記ホッパーとの間隙に前記記録媒体の後端が侵入することを防止するリブ形状の後端侵入防止部が形成されており、前記後端侵入防止部は、異なるサイズの前記記録媒体の幅方向の各端部に対応して形成されていることを特徴とする記録装置。
【請求項３】
記録媒体のセット時に先端を揃える当接部と、
前記当接部に近接配置されており、前記当接部にて先端が揃えられた前記記録媒体を上昇及び下降させて供給するホッパーとを備えた記録装置において、
前記当接部と前記ホッパーとの間隙に前記記録媒体の先端が侵入することを防止する先端侵入防止部と、
前記ホッパーと当該ホッパーの上方に位置するハウジングとの間隙に前記記録媒体の後端が侵入することを防止する後端侵入防止部とを備え、
前記先端侵入防止部は、填め合わせ可能な凹凸形状に形成されており、前記凹形状と前記凸形状は、異なるサイズの前記記録媒体の幅方向の各端部に対応するように前記当接部と前記ホッパーに形成され、
前記後端侵入防止部は、前記ハウジングの背部にリブ形状に形成されており、異なるサイズの前記記録媒体の幅方向の各端部に対応して形成され、
さらに、前記ホッパーの上部には傾斜部が形成され、前記傾斜部は、前記ハウジングの面が、前記傾斜部からみてオーバーハングするように形成されていることを特徴とする記録装置。
【請求項４】
前記ホッパーは、前記記録媒体の幅方向の一端を支点として前記当接部の傾斜面に沿って回動可能に取り付けられ、前記ホッパーが回動することによって前記当接部が進退することを特徴とする請求項１〜３の何れか一項に記載の記録装置。
【発明の詳細な説明】
【０００１】
【発明の属する技術分野】
本発明は、記録媒体を送りつつ記録ヘッドを記録媒体の送り方向と直交する方向に移動させて記録する記録装置に関する。
【０００２】
【従来の技術】
記録する用紙としていわゆるカット紙とロール紙の双方を使用することができる記録装置が開発されている。例えばカット紙に印刷させる場合は、積層したカット紙の先端を当接部に突き当てて揃え、そのカット紙をホッパーにより上昇及び下降させて最上層のカット紙から順に給紙部により搬送部へ給紙させ、搬送部により記録部へ搬送させている。また、ロール紙に印刷させる場合は、ロール紙ホルダから引き出したロール紙を給紙部を通過させて搬送部へ到達させた後、搬送部により記録部へ搬送させている。
【０００３】
【発明が解決しようとする課題】
従来の記録装置では、用紙をセットする際に用紙がハウジングとホッパーとの間隙及びホッパーと当接部との間隙に入り込み易く、セットに手間が掛かっている。また、用紙をバックフィードさせる際に用紙の後端がハウジングとホッパーとの間隙に入り込み易く、後処理に手間が掛かっている。
【０００４】
本発明は、上記のような課題に鑑みなされたものであり、その目的は、記録媒体が不正な箇所に侵入することを防止することができる記録装置を提供することにある。
【０００５】
【課題を解決するための手段】
上記目的達成のため、本発明の記録装置では、記録媒体のセット時に先端を揃える当接部と、前記当接部に近接配置されており、前記当接部にて先端が揃えられた前記記録媒体を上昇及び下降させて供給するホッパーとを備えた記録装置において、前記当接部と前記ホッパーとの間隙に前記記録媒体の先端が侵入することを防止する先端侵入防止部と、前記ホッパーと当該ホッパーの上方に位置するハウジングとの間隙に前記記録媒体の後端が侵入することを防止する後端侵入防止部とを備え、前記先端侵入防止部は、填め合わせ可能な凹凸形状に形成されており、前記凹形状と前記凸形状は、異なるサイズの前記記録媒体の幅方向の各端部に対応するように前記当接部と前記ホッパーに形成され、前記後端侵入防止部は、前記ハウジングの背部にリブ形状に形成されており、異なるサイズの前記記録媒体の幅方向の各端部に対応して形成されていることを特徴としている。
【０００６】
これにより、記録媒体が不連続の記録媒体、例えばカットされた記録媒体、あるいは連続した記録媒体、例えばロール状の記録媒体の何れであっても、その記録媒体をセットする際に記録媒体の特に角部が当接部とホッパーとの間隙に入り込んでしまう事態を防止することができるので、セットの手間を軽減することができる。そして、特に部品点数を増やすことなく先端侵入防止部を設けることができるので、コストの上昇を抑えることができる。
【０００７】
さらに、凹形状を当接部に設けたときは凸形状をホッパーに設け、凸形状を当接部に設けたときは凹形状をホッパーに設ければよいので、その記録装置の構造に最適な配設方法を選択することができる。そして、種々のサイズの記録媒体を使用する際に、ユーザは特に注意を払わずに各記録媒体の角部が当接部とホッパーとの間隙に入り込んでしまう事態を防止することができるので、セットの手間を大幅に軽減することができる。
【０００８】
また、記録媒体をバックフィードさせても、記録媒体の後端がホッパーに形成されている傾斜部に案内されてハウジングとホッパーとの間隙に入り込んでしまう事態を防止することができる。
【０００９】
また、これにより、特に部品点数を増やすことなく後端侵入防止部を設けることができるので、コストの上昇を抑えることができる。
【００１０】
また、種々のサイズの記録媒体を使用する際に、ユーザは特に注意を払わずに各記録媒体の後端がハウジングとホッパーとの間隙に入り込んでしまう事態を防止することができる。
【００１１】
上記目的達成のため、本発明では、記録媒体のセット時に先端を揃える当接部と、前記当接部に近接配置されており、前記当接部にて先端が揃えられた前記記録媒体を上昇及び下降させて供給するホッパーとを備えた記録装置において、前記ホッパーの上部には傾斜部が形成されており、前記傾斜部は、前記ホッパーの上方に位置するハウジングの面が、前記傾斜部からみてオーバーハングするように形成され、前記ハウジングの背部には、当該ハウジングと前記ホッパーとの間隙に前記記録媒体の後端が侵入することを防止するリブ形状の後端侵入防止部が形成されており、前記後端侵入防止部は、異なるサイズの前記記録媒体の幅方向の各端部に対応して形成されていることを特徴としている。これにより、記録媒体が特に連続した記録媒体、例えばロール状の記録媒体の何れであっても、その記録媒体をセットする際に記録媒体はハウジングから傾斜部を通って記録部へスムーズに案内され、記録媒体がハウジングとホッパーとの間隙に入り込んでしまう事態を防止することができるので、セットの手間を軽減することができる。
【００１２】
上記目的達成のため、本発明では、記録媒体のセット時に先端を揃える当接部と、前記当接部に近接配置されており、前記当接部にて先端が揃えられた前記記録媒体を上昇及び下降させて供給するホッパーとを備えた記録装置において、前記当接部と前記ホッパーとの間隙に前記記録媒体の先端が侵入することを防止する先端侵入防止部と、前記ホッパーと当該ホッパーの上方に位置するハウジングとの間隙に前記記録媒体の後端が侵入することを防止する後端侵入防止部とを備え、前記先端侵入防止部は、填め合わせ可能な凹凸形状に形成されており、前記凹形状と前記凸形状は、異なるサイズの前記記録媒体の幅方向の各端部に対応するように前記当接部と前記ホッパーに形成され、前記後端侵入防止部は、前記ハウジングの背部にリブ形状に形成されており、異なるサイズの前記記録媒体の幅方向の各端部に対応して形成され、さらに、前記ホッパーの上部には傾斜部が形成され、前記傾斜部は、前記ハウジングの面が、前記傾斜部からみてオーバーハングするように形成されていることを特徴としている。これにより、記録媒体が特に連続した記録媒体、例えばロール状の記録媒体の何れであっても、その記録媒体をセットする際に記録媒体はハウジングから傾斜部を通って記録部へスムーズに案内され、記録媒体がハウジングとホッパーとの間隙に入り込んでしまう事態を防止することができるので、セットの手間を軽減することができる。そして、本願の上述した各作用効果を奏することが可能となる。
【００１３】
また、前記ホッパーは、前記記録媒体の幅方向の一端を支点として前記当接部の傾斜面に沿って回動可能に取り付けられ、前記ホッパーが回動することによって前記当接部が進退することを特徴としている。
【００１４】
【発明の実施の形態】
以下、図面に基づいて本発明の実施の形態について詳細に説明する。
【００１５】
図１及び図２は、本発明の一実施の形態に係る記録装置の外装構成の全体を斜め前方から見た斜視図である。この記録装置１は、図１及び図２に示すように、全体が幅方向に長く延びる略直方体状のハウジング１０を備えている。そして、このハウジング１０の前方側には、排紙スタッカ５１やスイッチ部５２等が配設され、ハウジング１０の後方側には、給紙口５３等が配設されている。また、ハウジング１０の上部から前面にかけては、透明もしくは半透明な湾曲したプラスチックカバー５４によって覆われた窓部５５が形成されている。
【００１６】
排紙スタッカ５１は、排出される用紙を蓄積する機能を有し、基端側の１段目のスタッカ部材５１ａ及びこの１段目のスタッカ部材５１ａに格納・引出自在に設けられた先端側の２段目のスタッカ部材５１ｂの２段で構成されている。この排紙スタッカ５１は、その下部の回動軸を中心にハウジング１０の前面に図１の矢印ａ方向に回動可能に取り付けられており、使用時は図１に示すように倒伏方向に回動されて排紙口５６を開放し、収納時は起立方向に回動されて排紙口５６を閉鎖するようになっている。
【００１７】
スイッチ部５２は、パワーをオン・オフするパワー系のスイッチ５２ａと、用紙の頭出し等を操作したり、インクのフラッシング等を操作する３つの操作系のスイッチ５２ｂを備えている。このスイッチ部５２は、ハウジング１０の前面の排紙スタッカ５１の右側に配列されている。
【００１８】
給紙口５３には、その後縁と両端縁を囲むようにガイド壁５３ａ、５３ｂ、５３ｃが形成されている。ガイド壁５３ａは、用紙の面をガイドし、ガイド壁５３ｃは、用紙の一方のサイドエッジをガイドする機能を有する。そして、用紙のサイズが異なっても確実に用紙をガイドすることができるように、用紙の他方のサイドエッジをガイドするエッジガイド２２が、給紙口５３の両端縁に形成されているガイド壁５３ｂ、５３ｃ間を、後縁に形成されているガイド壁５３ａに沿って移動可能なように装着されている。
【００１９】
プラスチックカバー５４は、その上部の回動軸を中心に図１の矢印ｂ方向に回動可能に取り付けられている。ユーザは、プラスチックカバー５４を持ち上げて窓部５５を開放することにより、窓部５５を通して後述するキャリッジ上に収納されるインクカートリッジの交換作業や内部機構のメンテナンス作業等を行うことができる。
【００２０】
さらに、この記録装置１は、不連続の用紙、すなわち図１に示すカット紙Ｐの印刷と、連続した用紙、すなわち図２に示すロール紙Ｒの印刷が可能であり、図１に示すように、カット紙Ｐを印刷する場合は給紙口５３の背部にカット紙Ｐを保持するペーパーサポート２１が取り付けられ、また、図２に示すように、ロール紙Ｒを印刷する場合は給紙口５３の背部にロール紙Ｒを保持したロール紙ホルダ６０が取り付けられる。なお、ペーパーサポート２１とロール紙ホルダ６０は、着脱可能に構成されており、何れか一方が取り付けられるようになっている。
【００２１】
ペーパーサポート２１は、図１に示すように、カット紙Ｐの面を保持する機能を有し、給紙口５３の後縁に近接して斜め後方に突き出るように配設されている。ロール紙ホルダ６０は、図２に示すように、ロール紙Ｒの中心軸穴に貫入される軸芯６１及びこの軸芯６１の両端を回転自在に支持してロール紙Ｒの両端部をそれぞれ覆う一対のカバー６２を備えている。カバー６２は、給紙口５３の後方に着脱自在に取り付けられている。
【００２２】
図３及び図４は、上記記録装置１の内部構成例を示す断面側面図である。図３に示すように、記録装置１は、給紙口５３から差し込まれたカット紙Ｐを給紙装置２０により給紙する。給紙装置２０は、給紙ローラ２、総量規制部７０、アイドルローラ８０等をフレーム３１に組込んで一体化したユニット３０と、ホッパー３、分離パッド４等を有する紙戻し部材４２をフレーム４１に組込んで一体化したユニット４０とを備えている。ユニット３０はキャリッジを仕切るフレーム１３の背面に固定され、ユニット４０は断面山形のフレーム４１の裾部分が搬送ローラ６と排出ローラを結ぶ用紙搬送経路の略延長線上になるようメインフレーム１２に取り付けられている。
【００２３】
そして、ホッパー３に積載された複数枚のカット紙Ｐは、給紙ローラ２の回転に伴うホッパー３の上昇により、分離パッド４で給紙ローラ２に押付けられて最上位のカット紙Ｐから１枚づつ分離され、ぺーパーガイド４９に沿って搬送ローラ６に給送されるようになっている。
【００２４】
一方、図４に示すように、記録装置１は、ロール紙ホルダ６０から引き出され、給紙口５３からアイドルローラ８０を経由して搬送ローラ６に差し込まれたロール紙Ｒを搬送ローラ６とその従動ローラとで挟持する。ロール紙ホルダ６０から引き出されるロール紙Ｒは、供給口５３のガイド壁５３ａの上縁部で一旦屈曲してからガイド壁５３ａより下方に配設されたアイドルローラ８０を経由して搬送ローラ６に向かうが、ロール紙ホルダ６０はロール紙Ｒの引き出し方向が常に下方向となるように配設されている。
【００２５】
すなわち、ロール紙ホルダ６０は、ロール紙ホルダ６０から供給口５３のガイド壁５３ａの上縁部に掛け渡されるロール紙Ｒの面が、常に水平面もしくはガイド壁５３ａ側を下方とした傾斜面となるように配設されている。仮に、ロール紙ホルダ６０から供給口５３のガイド壁５３ａの上縁部に掛け渡されるロール紙Ｒの面がガイド壁５３ａ側を上方とした傾斜面となるようにロール紙ホルダ６０が配設されていた場合、ロール紙Ｒを供給口５３のガイド壁５３ａの上縁部で一旦上方に引き上げてから下方向に送る必要があり、このときのロール紙Ｒの送り抵抗、いわゆるバックテンションは大きくなる。しかし、本実施形態によればロール紙Ｒの引き出し方向は常に下方向となるので、このときのロール紙Ｒのバックテンションは上記バックテンションに比べて小さくなる。
【００２６】
記録装置１は、図３に示すカット紙Ｐあるいは図４に示すロール紙Ｒを搬送ローラ６により図示しないキャリッジに搭載された記録ヘッド側へ送り出して印刷する。このとき、記録装置１の制御部は、例えばイエロー、マゼンタ、シアン、ブラックの計４色のインクカートリッジから記録ヘッドへ各色インクを供給し、各色インクの吐出タイミング及びキャリッジや搬送ローラ６の駆動を制御して、高精度なインクドット制御、ハーフトーン処理等を実行する。最後に、記録装置１は、カット紙Ｐあるいはロール紙Ｒを図示しない排出ローラにより排紙口５６から排紙する。
【００２７】
図５は、上記記録装置１における上記ユニット３０及びユニット４０の周辺部を背面から見た斜視図、図６は、ユニット３０の周辺部を示す斜視図、図７は、図６に示すユニット３０の斜視図、図８は、図７の平面図、図９は、図８のＩ―Ｉ矢視の側面図である。図５〜図８に示すように、ローラホルダ３１の軸受け部３１ａには、ローラ軸３２が回転可能に支持されている。そして、このローラ軸３２には、給紙ローラ２、補助ローラ３３、ホッパー３の上昇又は下降を操作するホッパーカム機構を構成するホッパー上下用カム３４及び回転駆動するための伝達ギヤ３５が一体で設けられ、さらに、アイドルローラ８０が回転自在に挿入されている。
【００２８】
給紙ローラ２は、図９に示すように、円弧部分２ａと平坦部分２ｃからなり、円弧部分２ａにはカット紙Ｐを給送するために摩擦材が取り付けられている。円弧部分２ａは、平坦部分２ｃに出張った円弧部分２ｂを持たせて全体の円弧長を大きくしている。円弧部分２ｂは、ホッパー３のカット紙Ｐの積載量が変化しても搬送ローラ６まで用紙を確実に給送するよう作用する。
【００２９】
例えば、ホッパー３に１枚のカット紙Ｐがある場合は、ホッパー３を下限位置から上昇させ、カット紙Ｐを給紙ローラ２へ当接させるまでの時間が最も長くなる。つまり、給紙ローラ２はカット紙Ｐの当接までの間に所定角回転するので、円弧部分２ｂの長さはカット紙Ｐの当接位置からの給送で搬送ローラ６へ到達するよう設定される。このように給紙ローラ２の平坦部分２ｃ側に出張った円弧部分２ｂを設けることで、給紙ローラ２を大径にすることなく、全体の円弧部分２ａを長くすることができ、装置の小型化を図ることができる。
【００３０】
補助ローラ３３は、図７及び図８に示すように、給紙ローラ２から離した幅方向の中央寄りに配設されている。この補助ローラ３３は、カット紙Ｐを後述する紙戻し部材４２の補助パッド４Ａによって押し付け、カット紙Ｐの幅方向の中央寄りを給紙ローラ２と同じように巻き込むよう機能する。
【００３１】
例えば、ホッパー３に収納されたカット紙Ｐを幅方向の一方側に配置された１つの給紙ローラ２のみで給送する場合、カット紙Ｐの一方側においては給紙ローラ２に巻き込まれて用紙側部がカールして進入する。一方、カット紙Ｐの他方側においては給紙ローラ２が無いため、真っ直ぐな状態で進入する。このようにカット紙Ｐの幅方向において、異なった進入を基に用紙搬送が行われるとスキューが起こり、紙ジャムを発生し易くなるが、この補助ローラ３３を備えることで、カット紙Ｐの他端の動きが抑えられ、スキューを起こしにくくなる。
【００３２】
ホッパー上下用カム３４の側面には、図７〜図９に示すように、後述の紙戻し部材４２の倒伏動作における初期傾倒動作を行う小カム３６が設けられている。伝達ギヤ３５は、図７に示すように、給紙モータ１５の駆動ギヤ１６に中間伝達ギヤ１７を介して連係されている。
【００３３】
アイドルローラ８０は、図５〜図８に示すように、補助ローラ３３と軸受け部３１ａの間に配置されている。このアイドルローラ８０は、用紙のバックテンションを軽減するよう機能する。すなわち、搬送ローラ６まで給送された状態の用紙、特にロール紙Ｒは、ロール紙ホルダ６０に引っ張られているので最短経路を取ろうとする。このため、ロール紙Ｒは、例えばローラホルダ３１と面接触あるいは線接触することになるので、バックテンションが大きくなる。そこで、このアイドルローラ８０をロール紙Ｒと限りなく点に近い状態で接触させ、ロール紙Ｒとローラホルダ３１との面接触あるいは線接触を減少させることにより、バックテンションを軽減させている。
【００３４】
このようなアイドルローラ８０は、その径が給紙ローラ２（補助ローラ３３）の径よりも小径であって、給送が完了した状態の給紙ローラ２の円弧部分２ｂよりもロール紙Ｒが飛び出るような径となるように形成される。また、分離パッド４の回動軌跡に干渉しないような径となるように形成される。ただし、その干渉が回避できないようなときは、アイドルローラ８０が干渉する分離パッド４の部分に、アイドルローラ８０が入り込めるスリットを形成するようにしてもよい。
【００３５】
なお、上述した実施形態では、１枚のアイドルローラ８０を補助ローラ３３と軸受け部３１ａの間に回転自在に配置するようにしたが、これに限定されるものではない。例えば２枚以上のアイドルローラ８０を配置してもよい。また、任意の箇所、例えば給紙ローラ２とホッパー上下用カム３４の間等に配置してもよい。また、ローラ軸３２に固定、例えばローラ軸３２と一体形成してもよい。
【００３６】
図５〜図９に示すように、ローラホルダ３１の給紙口５３側の壁面３１ｂには、総量規制部７０が装置本体後方側に突き出るようにして配設されている。この総量規制部７０は、ローラホルダ３１の壁面３１ｂと略平行に設けられた壁面７１と、この壁面７１に連続しており、下方に向かうにしたがって給紙ローラ２側に傾斜した壁面７２と、壁面７１と壁面７２の境界上に所定間隔をあけて２列配列された小ローラ７３と、壁面７２の最下端上に同様に所定間隔をあけて２列配列された小ローラ７４を備えている。壁面７１、７２の幅は、記録可能な最小サイズの用紙の幅と略同一に形成されており、エッジガイド２２との干渉を防止することができる。
【００３７】
このような構成の総量規制部７０は、給紙口５３から差し込まれホッパー３に収納されるカット紙Ｐの総量を規制する機能と、アイドルローラ８０と同様に用紙のバックテンションを軽減する機能を有する。すなわち、総量規制部７０が配設されていないと、給紙口５３に可能な限り大量のカット紙Ｐを差し込むことができる。このため、一部のカット紙Ｐがフレーム４１の用紙当接部を越えてぺーパーガイド４９側に侵入し、印刷不良等を引き起こすおそれがある。
【００３８】
そこで、図１０に示すように、総量規制部７０は、供給口５３のガイド壁５３ａ側に突き出るように配設され、かつ壁面７２の最下端上に配列された小ローラ７４の周面と供給口５３のガイド壁５３ａの上縁部とを結ぶ直線Ｌがフレーム４１の用紙当接部を越えないように配設されている。これにより、カット紙Ｐの給紙口５３への差し込みは総量規制部７０の壁面７２と供給口５３のガイド壁５３ａとの間隔で決まる枚数に規制され、かつ給紙口５３に差し込まれたカット紙Ｐは１枚もしくは複数枚であっても全てフレーム４１の用紙当接部に保持されることになるので、一部のカット紙Ｐがフレーム４１の用紙当接部を越えてぺーパーガイド４９側に侵入し、印刷不良等を引き起こすおそれを防止することができる。
【００３９】
また、小ローラ７３、７４が取り付けられていない場合、上述したように、搬送ローラ６まで給送された状態のロール紙Ｒは、ロール紙ホルダ６０に引っ張られているので最短経路を取ろうとし、例えば壁面７２と面接触あるいは線接触することになるので、バックテンションが大きくなる。そこで、小ローラ７３、７４を壁面７１、７２の頂部から突出するように回転自在に取り付けることにより、小ローラ７３、７４をロール紙Ｒと限りなく点に近い状態で接触させ、ロール紙Ｒと壁面７２との面接触あるいは線接触を無くして、バックテンションを軽減させている。
【００４０】
図１１は、上記記録装置１における上記ユニット４０の平面図、図１２は、図１１のＩＩ―ＩＩ矢視の側面図、図１３及び図１４は、ユニット４０を構成するフレーム４１に組み込まれた紙戻し部材４２を構成するホッパー３等を示す第１及び第２の斜視図である。
【００４１】
図１１〜図１４に示すように、ユニット４０は、記録装置１の幅方向に延びた断面山形のフレーム４１の前方傾斜面をぺーパーガイド４９にし、後方傾斜面には用紙セット時に用紙先端を当接させ揃える当接部の当接面４１ｃを形成しており、ここにホッパー３が配置されている。図１１及び図１２に示すように、フレーム４１の頂上には稜線部分４１ｂ（当接部の当接面とペーパーガイドの境）に沿って紙戻し部材４２が配置され、その基端が稜線部分４１ｂに回動可能に設けられている。
【００４２】
ホッパー３は、記録装置１の幅方向の一端を支点４３としてフレーム４１の傾斜面に沿って回動可能に取り付けられており、他端はユニット３０側に位置し、ホッパーエッジガイド３ａが設けられ、その上端面はホッパー上下用カム３４が作用するホッパーカムフォロア３ｃを形成している。ホッパーエッジガイド３ａから外方へ延びた突出部分３ｂが形成されており、この突出部分３ｂがフレーム４１から立設されたホッパーガイド４１ａに嵌入され、ホッパー３の他端の動きを上昇又は下降方向のみに規制している。
【００４３】
ホッパー３の回動支点４３は、その近傍のホッパー面が稜線部分４１ｂにほぼ一致するように設けられており、用紙セット時に用紙先端がホッパー３の回動支点４３側のフレーム４１に引掛かるのを防止している。また、ホッパー３の他端近傍の背面には、フレーム４１との間にホッパーバネ４４が介装され、ホッパー３を傾斜面の頂き方向に付勢している。ホッパー３の面には、分離パッド４の位置に合わせて高摩擦材のシート４５が貼付けられている。
【００４４】
さらに、図１３に示すように、ホッパー３とフレーム４１の当接面４１ｃとの間には、その間隙に用紙の先端が侵入することを防止する先端侵入防止部９０が設けられている。この先端侵入防止部９０は、ホッパー３側に設けられている凸部９１と、フレーム４１の当接面４１ｃに設けられている上記凸部９１に填め合わせ可能な凹部９２で構成されている。凹部９２はホッパー３の回動方向に延びる溝状に形成されており、図１４に示すように、ホッパー３の回動時には凸部９１は凹部９２に沿って移動して回動の妨げとならないようになっている。
【００４５】
この先端侵入防止部９０は、用紙の一端側をガイドするガイド壁５３ｃ近傍の位置Ｐａと、異なるサイズの用紙、例えばはがきサイズ、５インチサイズ、Ｂ５サイズ、Ａ４サイズの他端側の位置Ｐｂ、Ｐｃ、Ｐｄ、Ｐｅに設けられている。このような構成の先端侵入防止部９０は、ホッパー３及びフレーム４１を成形するときに同時に一体成形することができるので、特に部品点数を増加させることはなく、コスト上昇を抑えることができる。
【００４６】
これにより、図１５に示すように、特に用紙をセットする際に、用紙の先端角部がホッパー３とフレーム４１の当接面４１ｃとの間隙に潜り込み易かったが、この先端侵入防止部９０を設けることにより上記潜り込みを確実に防止することができ、種々のサイズの用紙のセットを簡易に行うことができる。なお、ホッパー３側に凹部を設け、フレーム４１の当接面４１ｃ側に凸部を設けても同様の効果を奏する。
【００４７】
図１６は、上記記録装置１の断面側面図である。図１６に示すように、ホッパー３の上部には、ガイド壁５３ａの下部が図示ａの分だけオーバーハングする傾斜部９３が形成されている。これにより、特に用紙をセットする際に、用紙の先端がガイド壁５３ａとホッパー３との間隙に潜り込み易かったが、この傾斜部９３を設けることにより用紙をガイド壁５３ａから傾斜部９３を介してペーパーガイド４９へスムーズに案内することができるので、上記潜り込みを確実に防止することができ、用紙のセットを簡易に行うことができる。
【００４８】
ただし、図１７に示すように、用紙の後端がバックフィードの際に傾斜部９３に案内されてガイド壁５３ａとホッパー３との間隙に潜り込むおそれがある。そこで、ガイド壁５３ａの背部とハウジング１０の間には、その間隙に用紙の後端が侵入することを防止する後端侵入防止部９４が設けられている。この後端侵入防止部９４は、用紙の送り方向に延びるリブ状に形成されており、先端侵入防止部９０と同様に、用紙の一端側をガイドするガイド壁５３ｃ近傍の位置と、異なるサイズの用紙、例えばはがきサイズ、５インチサイズ、Ｂ５サイズ、Ａ４サイズの他端側の位置に設けられている。このような構成の後端侵入防止部９４は、ハウジング１０を成形するときに同時に一体成形することができるので、特に部品点数を増加させることはなく、コスト上昇を抑えることができる。そして、ホッパー３は、一端を支点４３としており、用紙をバックフィードさせる際にホッパー３は、支点４３側では後述する図３２に示された稜線部分４１ｂとほぼ一致する位置にホッパー３の面が位置し、他端側では後述する図３６に示された下限位置にホッパー３の面が位置する。そのため、用紙は、他端側のみが後端侵入防止部９４と当接し、支点４３側では後端侵入防止部９４と当接しない、傾いた形でバックフィードされることになる。また、用紙は、一般的に用紙搬送経路の形状に合わせて反り返るため、バックフィードされる用紙も、当然のことながら反り返った形状で搬送される。そのため、用紙は、後端侵入防止部９４で当接すると、他端側だけが、反り返りによってホッパー３側へと撓み、その後、用紙の傾きによる捻れを解消する方向へと先端部が滑ることになる。これにより、用紙の侵入を防止することが可能となっている。
【００４９】
図１８は、図１１のＩＩＩ―ＩＩＩ断面による紙戻し部材４２の作動を示す説明図、図１９は、紙戻し部材４２の平面図、図２０は、図１９のＩＶ―ＩＶ矢視の側面図、図２１は、図１９のＶ―Ｖ矢視の側面図、図２２は、ユニット３０とユニット４０の組付け部分を示す斜視図である
図１９〜図２１に示すように、紙戻し部材４２は、軸受け構造に形成された基端４２ｂをフレーム４１の軸部に嵌め込むことによって、回動可能に取り付けられている。紙戻し部材４２の表面４２ｃには、離間して配置された分離パッド４と荷崩れ防止部材５を有する。分離パッド４は、高摩擦材からなり、一方荷崩れ防止部材５はコルク等で形成されたシート状の摩擦材が用いられている。
【００５０】
図２２に示すように、ホッパー３のエッジガイド３ａ側には、紙戻し部材４２の初期傾倒を行う為のカムフォロア４２ａが設けられており、このカムフォロア４２ａにはホッパー上下用カム３４の側面に設けられた小カム３６が作用する。ここで、小カム３６とカムフォロア４２ａは、紙戻し部材４２を給紙ローラ２の給逆方向への回転に連動させて起立位置から倒伏位置に向けて所定角を回動させる傾動手段を構成している。基端４２ｂとは反対側の自由端は、分離パッド４の幅を除く部分に表面４２ｃから斜め上方に僅かに延びた土手部４２ｄが形成されており、この土手部４２ｄは紙戻し時に用紙先端を確実に捉えてホッパー３へ押し戻すよう作用する。
【００５１】
図１８に示すように、ぺーパーガイド４９には、紙戻し部材４２と略同形の切欠き部４６が形成されており、この切欠き部４６は、紙戻し部材４２が起立状態（図１８（１）の状態）から紙戻し部材用バネ４７の付勢力に抗して回動し倒伏（図１８（２）の状態）したときに覆われ、ぺーパーガイド４９に面一になる。紙戻し部材用バネ４７は、例えばコイルスプリングで構成されており、フレーム４１の裏側に配設されている。紙戻し部材用バネ４７の一端は、紙戻し部材４２の裏面に、他端はフレーム４１にそれぞれ係上され、紙戻し部材４２を起立（図１２の状態）させるよう付勢している。
【００５２】
紙戻し部材４２の起立は、ほぼ垂直に立ち上がっており、セット時のカット紙が用紙搬送路に不用意に進入するのを阻止する。この起立状態では、給紙ローラ２のローラ面の回転軌跡外に紙戻し部材４２があって回動力を与えることができない。そこで、紙戻し部材４２に回動力を作用させる部分を給紙ローラ２のローラ面の回転軌跡内に入れる為、給紙動作の給紙ローラ２の回転初期において、小カム３６とカムフオロア４２ａにより給紙ローラ２の回転に連動して紙戻し部材４２を所定角の初期回動させる。その後、給紙ローラ２の回転押付け力が紙戻し部材４２に直接作用し、回動させる。
【００５３】
これにより紙戻し部材４２を無理なく円滑に回動させることができる。ホッパー３の回動支点側には、稜線部分４１ｂに近いペーパーガイド４９上に第２の荷崩れ防止部４８が形成されており、この第２の荷崩れ防止部４８はホッパー３の回動支点４３側が幅広で、給紙ローラ２に向かって幅狭になる上視三角形の当接面を持っており、これにより積載したカット紙の荷崩れが防止される。
【００５４】
以上のような構成の記録装置１により、先ずカット紙Ｐを印刷する際の準備動作を説明し、次にロール紙Ｒを印刷する際の準備動作を説明する。カット紙Ｐを印刷する際の準備動作として、先ずホッパー動作について説明する。図２３は、用紙セット状態のホッパー３の側面図、図２４は、図２３の矢印方向から見たホッパー下降時を示す図、図２５は、図２３の矢印方向から見たホッパー上昇時を示す図である。
【００５５】
給紙ローラ２がホームポジションにあるとき、紙戻し部材４２は紙戻し部材用バネ４７により起立位置に保持されている。ホッパー３は、給紙ローラ２がホームポジションに至る間に、ホッパーカム３４により回動支点４３を中心として、ホッパーバネ４４の付勢力に抗して回動されており、図２４の位置（ホッパー下降状態）に維持されている。ホッパー下降時に複数枚のカット紙Ｐをセットすると、カット紙Ｐの下方が紙戻し部材４２によって用紙搬送路への進入を阻止されると共に、用紙先端がフレーム４１の傾斜した当接面４１ｃに突き当たり揃えられ、さらに先端角部が先端侵入防止部９０によりホッパー３と当接面４１ｃとの間隙への潜り込みを阻止される。
【００５６】
ホッパー３の回動支点４３側では、当接面４１ｃが複数枚のカット紙Ｐの厚み分だけない為、図２３に示すように当接面４１ｃからペーパーガイド４９側にはみ出し浮いた状態になる。第２の荷崩れ防止部４８は、用紙セット時において、当接面４１ｃからぺーパーガイド４９側へはみ出した用紙先端が給紙ローラ２側の用紙先端より先に用紙搬送路へ進入する動き（ずれ込み現象）を規制するので、正しい用紙セットが行われる。
【００５７】
給紙がスタートすると、図２５に示す位置にホッパー３が上昇し、給紙ローラ２にカット紙Ｐを押し付ける。このとき、当接面４１ｃからペーパーガイド４９側にはみ出して浮いた状態のカット紙Ｐがホッパー下降時より多くなるが、紙戻し部材４２の荷崩れ防止部材５が用紙先端を支えることで、ホッパー３の回動支点側で起こる用紙先端のずれ込み現象が抑えられる。
【００５８】
最上位のカット紙Ｐが給送されるとき、給紙ローラ２側の送り込みによって回動支点側の用紙先端も進入を開始する。このとき第２の荷崩れ防止部４８の給紙ローラ側が幅狭になっているため、用紙先端が引っ掛かることなく、スムーズに乗り越えられる。特に、ＯＨＰ用紙などの腰の強い用紙の場合に好ましい効果が得られる。
【００５９】
また、紙戻し部材４２は、その倒伏位置でペーパーガイド４９に面一となり、荷崩れ防止部材５によって用紙幅方向のほぼ中間位置の用紙先端が拘束される為、ホッパー３の回動支点側で起こる用紙先端のずれ込み現象が抑えられる。これによりカット紙Ｐは、用紙搬送路に対し真っ直ぐに進入する。
【００６０】
次に給紙動作について説明する。図２６〜図３８は、給紙動作の流れを示す説明図である。複数枚のカット紙Ｐをペーパーサポート２１にセットする。ホームポジションにある給紙ローラ２の平坦部分はフレーム４１のペーパーガイド４９の面にほぼ平行であり、紙戻し部材４２は起立して給紙ローラ２との間で干渉しない状態となっている。紙戻し部材４２の起立時は、給紙ローラ２とホッパー３との間の用紙搬送路を遮る位置にあって、用紙セット時に用紙の先端を規制することで、用紙搬送路に進入するを阻止する。
【００６１】
一方、ホッパー上下用カム３４により、ホッパー３が下限位置に押し下げられている（図２６の状態）。給紙スタートにより給紙ローラ２が回転すると、先ず小カム３６が紙戻し部材４２のカムフォロア４２ａに作用して紙戻し部材４２を僅かに傾けて倒伏の初期動作が行われる（図２７の状態）。紙戻し部材４２が所定角傾けられた後に、給紙ローラ２が紙戻し部材４２の表面に当たって、そのときの回転押付け力により紙戻し部材用バネ４７の付勢に抗して紙戻し部材４２を倒伏位置に向けて回動させる。
【００６２】
この間、ホッパー上下用カム３４がホッパーカムフォロア３ｃに作用し、ホッパー３を下限位置に維持する（図２８の状態）。紙戻し部材４２が倒伏位置に達し（図２９の状態）、その後ホッパー上下用カム３４によるホッパー３の下限位置の維持が解かれ、ホッパーバネ４４によってホッパー３が上昇し、最上位のカット紙Ｐを給紙ローラ２に押し付ける（図３０の状態）。そして、給紙ローラ２の回転により最上位のカット紙Ｐの給送が始まる（図３１の状態）。なお、図中、上向き矢印により用紙先端の位置を示す。
【００６３】
用紙先端が搬送ローう６に到達する前に、ホッパー上下用カム３４がホッパーカムフォロア３ｃに作用し、ホッパー３を図３２に示す下降直前の位置から下降を開始する（図３０は下降途中の状態）。ホッパー３が下限位置に到達し（図３４）、その後紙戻し部材４２の起立動作か紙戻し部材用バネ４７のバネ力で始まる（図３５は起立直前の状態）。この間において、用紙先端は搬送ローラ６に到達し、スキュー取り及び頭出し動作が行われる。
【００６４】
引続き、紙戻し部材用バネ４７のバネ力により紙戻し部材４２の起立が完了する。この起立する為の回動中に、先の動作において最上位の用紙Ｐに共連れし給紙ローラ２と紙戻し部材４２の間にくさぴ効果によって入り込んだ重送のカット紙Ｐ１の先端を捉え、ホッパー３内に押して収容する紙戻しが行われる（図３６は紙戻し完了時、図３７は紙戻し完了後の給紙ローラ２のホームポジションヘの回転途中の状態）。給紙ローラ２がホームポジションに戻る間に、カット紙Ｐへ印刷が始まる（図３８の状態）。このとき、アイドルローラ８０は、カット紙Ｐと接触して回転しており、カット紙Ｐのバックテンションを軽減させている。
【００６５】
次に、ロール紙Ｒを印刷する際の準備動作を説明する。図３９は、ロール紙Ｒのセット時もしくはバックフィード時の様子を示す側面図、図４０は、ロール紙Ｒの搬送時の様子を示す側面図、図４１は、図４０の拡大図である。ロール紙Ｒのセット時においては、図３９に示すように、ロール紙ホルダ６０から引き出されたロール紙Ｒは、ロール紙ホルダ６０の斜め上方で大きく湾曲してから斜め下方に向かい、給紙装置２０を通って搬送ローラ６に達している。
【００６６】
このとき、小ローラ７３、７４及びアイドルローラ８０は、ロール紙Ｒと接触して回転しており、ロール紙Ｒとローラホルダ３１及び壁面７２との面接触あるいは線接触を減少させることにより、ロール紙Ｒのバックテンションを軽減させている。なお、ロール紙ホルダ６０から引き出された直後のロール紙Ｒの先端は、ガイド壁５３ａから傾斜部９３を介してペーパーガイド４９へスムーズに案内されるので、ガイド壁５３ａとホッパー３との間隙への潜り込みは阻止される。
【００６７】
なお、印刷が終了して印刷部分がカットされた後、搬送ローラ６より排紙側に残っている未印刷部分を無駄にしないため、搬送ローラ６により一旦引き戻す動作、すなわちバックフィードのときも図３６で説明したように同様にロール紙Ｒのバックテンションを軽減させている。さらに、後端侵入防止部９４によりロール紙Ｒの後端のガイド壁５３ａとホッパー３との間隙への潜り込みが阻止される。
【００６８】
ロール紙Ｒの搬送時においては、図４０及び図４１に示すように、ロール紙Ｒは、搬送ローラ６により送られる。このとき、ロール紙Ｒの引き出し方向は常に下方向になっているので、ロール紙Ｒのバックテンションは小さくなっており、さらに小ローラ７４及びアイドルローラ８０は、ロール紙Ｒと接触して回転しており、ロール紙Ｒとローラホルダ３１及び壁面７２との面接触あるいは線接触を減少させているので、ロール紙Ｒのバックテンションを軽減させている。
【００６９】
【発明の効果】
以上説明したように、本発明によれば、記録媒体が不連続の記録媒体、例えばカットされた記録媒体、あるいは連続した記録媒体、例えばロール状の記録媒体の何れであっても、その記録媒体をセットする際に記録媒体の特に角部が当接部とホッパーとの間隙に入り込んでしまう事態を防止することができるので、セットの手間を軽減することができる。また、記録媒体をセットする際に記録媒体はハウジングから傾斜部を通って記録部へスムーズに案内され、記録媒体がハウジングとホッパーとの間隙に入り込んでしまう事態を防止することができるので、セットの手間を軽減することができる。さらに、記録媒体をバックフィードさせても、記録媒体の後端がホッパーに形成されている傾斜部に案内されてハウジングとホッパーとの間隙に入り込んでしまう事態を防止することができる。
【図面の簡単な説明】
【図１】本発明の一実施の形態に係る記録装置の外装構成の全体を斜め前方から見た第１の斜視図である。
【図２】本発明の一実施の形態に係る記録装置の外装構成の全体を斜め前方から見た第２の斜視図である。
【図３】図１の記録装置の内部構成例を示す断面側面図である。
【図４】図２の記録装置の内部構成例を示す断面側面図である。
【図５】図１の記録装置における第１のユニット及び第２のユニットの周辺部を背面から見た斜視図である。
【図６】図１の記録装置における第１のユニットの周辺部を示す斜視図である。
【図７】図６のユニットの斜視図である。
【図８】図６のユニットの平面図である。
【図９】図８のＩ−Ｉ矢視の側面図である。
【図１０】図６のユニットの総量規制部を示す側面図である。
【図１１】図１の記録装置における第２のユニットの平面図である。
【図１２】図１１のＩＩ−ＩＩ失視の側面図である。
【図１３】図１の記録装置における第２のユニットを構成するフレームに組み込まれたホッパーと紙戻し部材を示す第１の斜視図である。
【図１４】図１の記録装置における第２のユニットを構成するフレームに組み込まれたホッパーと紙戻し部材を示す第２の斜視図である。
【図１５】図１３のホッパーと紙戻し部材に対する用紙の状態を示す斜視図である。
【図１６】図１の記録装置の断面側面図である。
【図１７】図１６のホッパーとガイド壁に対する用紙の状態を示す斜視図である。
【図１８】図１１のＩＩＩ−ＩＩＩ断面による紙戻し部材の作動を示す説明図である。
【図１９】図１１のユニットの紙戻し部材の平面図である。
【図２０】図１９のＩＶ−ｌＶ矢視の側面図である。
【図２１】図１９のＶ一Ｖ矢視の側面図である。
【図２２】第１のユニットと第２のユニットの組付け部分を示す斜視図である。
【図２３】用紙セット状態のホッパーの側面図である。
【図２４】図２３の矢印方向から見たホッパー下降時を示す図である。
【図２５】図２３の矢印方向から見たホッパー上昇時を示す図である。
【図２６】カット紙の給紙動作を示し、給紙ローラがホームポジションのときのホッパー、紙戻し部材の関係を示す図である。
【図２７】カット紙の給紙動作を示し、小カムにて紙戻し部材を倒し始めを示す図である。
【図２８】カット紙の給紙動作を示し、給紙ローラが分離パッドに当接した状態を示す図である。
【図２９】カット紙の給紙動作を示し、紙戻し部材の倒伏位置を示す図である。
【図３０】カット紙の給紙動作を示し、ホッパーが上昇した直後を示す図である。
【図３１】カット紙の給紙動作を示し、給紙中を示す図である。
【図３２】カット紙の給紙動作を示し、ホッパーが下降を始める直前を示す図である。
【図３３】カット紙の給紙動作を示し、ホッパーの下降途中を示す図である。
【図３４】カット紙の給紙動作を示し、ホッパーが下限に到達した状態を示す図である。
【図３５】カット紙の給紙動作を示し、紙戻し部材か起立動作を開始する直前を示す図である。
【図３６】カット紙の給紙動作を示し、紙戻し部材が起立位置に達し紙戻し完了を示す図である。
【図３７】カット紙の給紙動作を示し、紙戻し完了後の給紙ローラの回転を示す図である。
【図３８】カット紙の給紙動作を示し、給紙ローラがホームポジションに戻った状態を示す図である。
【図３９】ロール紙のセット時もしくはバックフィード時の様子を示す側面図である。
【図４０】ロール紙の搬送時の様子を示す側面図である。
【図４１】図４０の拡大図である。
【符号の説明】
１      記録装置
２      給紙ローラ
３      ホッパー
３ｃ    ホッパーカムフォロア
４      分離パッド
５      荷崩れ防止部材
６      搬送ローラ
１０    ハウジング
１２    メインフレーム
２０    給紙装置
２１    ペーパーサポート
２２    エッジガイド
３０    ユニット
３３    補助ローラ
３４    ホッパー上下用カム
３６    小カム
４０    ユニット
４１    フレーム
４１ｃ  当接面
４２    紙戻し部材
４２ａ  カムフォロア
４２ｅ  溝カム
４８    第２の荷崩れ防止部
４９    ペーパーガイド
５１    排紙スタッカ
５２    スイッチ部
５３    給紙口
５３ａ  ガイド壁
５３ｂ  ガイド壁
５３ｃ  ガイド壁
５４    プラスチックカバー
５５    窓部
５６    排紙口
６０    ロール紙ホルダ
７０    総量規制部
７１    壁面
７２    壁面
７３    小ローラ
７４    小ローラ
８０    アイドルローラ
９０    先端侵入防止部
９１    凸部
９２    凹部
９３    傾斜部
９４    後端侵入防止部
【図１】
0003856289.tif 000002
【図２】
0003856289.tif 000003
【図３】
0003856289.tif 000004
【図４】
0003856289.tif 000005
【図５】
0003856289.tif 000006
【図６】
0003856289.tif 000007
【図７】
0003856289.tif 000008
【図８】
0003856289.tif 000009
【図９】
0003856289.tif 000010
【図１０】
0003856289.tif 000011
【図１１】
0003856289.tif 000012
【図１２】
0003856289.tif 000013
【図１３】
0003856289.tif 000014
【図１４】
0003856289.tif 000015
【図１５】
0003856289.tif 000016
【図１６】
0003856289.tif 000017
【図１７】
0003856289.tif 000018
【図１８】
0003856289.tif 000019
【図１９】
0003856289.tif 000020
【図２０】
0003856289.tif 000021
【図２１】
0003856289.tif 000022
【図２２】
0003856289.tif 000023
【図２３】
0003856289.tif 000024
【図２４】
0003856289.tif 000025
【図２５】
0003856289.tif 000026
【図２６】
0003856289.tif 000027
【図２７】
0003856289.tif 000028
【図２８】
0003856289.tif 000029
【図２９】
0003856289.tif 000030
【図３０】
0003856289.tif 000031
【図３１】
0003856289.tif 000032
【図３２】
0003856289.tif 000033
【図３３】
0003856289.tif 000034
【図３４】
0003856289.tif 000035
【図３５】
0003856289.tif 000036
【図３６】
0003856289.tif 000037
【図３７】
0003856289.tif 000038
【図３８】
0003856289.tif 000039
【図３９】
0003856289.tif 000040
【図４０】
0003856289.tif 000041
【図４１】
0003856289.tif 000042